(57)【要約】【課題】焼付きが生じ難く、かつ全体の製造コストも廉価に抑制することが可能なグリル用焼き網を提供する。【解決手段】被調理物を載せるための網体部１と、この網体部１から下向きに突出する支持脚２と、を備えている、グリル用焼き網Ａであって、支持脚２は、網体部１に固定され、かつ網体部１とともに焼付き防止処理が施された上側脚部２０と、この上側脚部２０から下向きに突出するようにして上側脚部２０に連結され、かつ前記焼付き防止処理が施されていない下側脚部２１とに区分されている。【選択図】  図１
2016083196.tif 000002
【特許請求の範囲】
【請求項１】
被調理物を載せるための網体部と、
この網体部から下向きに突出する支持脚と、
を備えている、グリル用焼き網であって、
前記支持脚は、
前記網体部に固定され、かつ前記網体部とともに焼付き防止処理が施された上側脚部と、
この上側脚部から下向きに突出するようにして前記上側脚部に連結され、かつ前記焼付き防止処理が施されていない下側脚部と、
に区分されていることを特徴とする、グリル用焼き網。
【請求項２】
請求項１に記載のグリル用焼き網であって、
前記下側脚部の全体は、前記網体部よりも低い高さに位置するように設けられている、グリル用焼き網。
【請求項３】
請求項１または２に記載のグリル用焼き網であって、
前記下側脚部は、前記上側脚部に対して取り外し可能に連結されており、
前記上側脚部から前記下側脚部を取り外した場合には、そうでない場合と比較して、前記網体部の高さを低くするようにして前記上側脚部により前記網体部を支持可能とされている、グリル用焼き網。
【発明の詳細な説明】
【技術分野】
【０００１】
本発明は、たとえばガスコンロなどのグリルを利用して魚などの被調理物を調理する際に、この被調理物を載置支持するのに用いられるグリル用焼き網に関する。
【背景技術】
【０００２】
グリル用焼き網の一例として、特許文献１に記載のものがある。
同文献に記載のグリル用焼き網は、被調理物を載せるための網体部と、この網体部に取り付けられて下向きに突出する支持脚とを備えている。網体部のうち、金属製線材を用いて形成された枠体には、下向きの折り曲げ部が形成されており、かつこの曲げ部は、支持脚に設けられた開口部に差し込まれてかしめられている。このことにより、網体部と支持脚との連結が図られている。前記した網体部には、焼付き防止処理が施されているのに対し、支持脚には焼付き防止処理が施されていない。
このような構成によれば、網体部に被調理物が焼付くことを防止し得る一方、支持脚には焼付き防止処理が施されていない分だけ、全体の製造コストを廉価にすることが可能である。
【０００３】
しかしながら、前記従来技術においては、次に述べるように、未だ改善すべき余地があった。
【０００４】
第１に、網体部と支持脚との連結手段として、網体部の枠体に形成された折り曲げ部を支持脚の開口部に差し込んでかしめる手段を採用しているために、支持脚の上部の高さは、網体部の被調理物が載せられる部分の高さと略同等となる。このため、被調理物の一部が支持脚の上部に付着する可能性が高い。一方、支持脚には焼付き防止処理が施されていない。このため、従来のグリル用焼き網を使用した場合には、支持脚の上部に焼付きを生じる可能性が高い。
第２に、網体部としては、枠体に折り曲げ部を形成した特殊な構造としておく必要がある。このため、グリル用焼き網全体の製造コストが高くなる。グリル用焼き網の網体部としては、前記したような折り曲げ部を有しない既存品があるが、前記従来技術においては、そのような既存品を、グリル用焼き網の構成部品としてそのまま利用することは困難である。
【先行技術文献】
【特許文献】
【０００５】
【特許文献１】特許第３４６４３７６号公報
【発明の概要】
【発明が解決しようとする課題】
【０００６】
本発明は、前記したような事情のもとで考え出されたものであり、焼付きが生じ難く、かつ全体の製造コストも廉価に抑制することが可能なグリル用焼き網を提供することを、その課題としている。
【課題を解決するための手段】
【０００７】
上記の課題を解決するため、本発明では、次の技術的手段を講じている。
【０００８】
本発明により提供されるグリル用焼き網は、被調理物を載せるための網体部と、この網体部から下向きに突出する支持脚と、を備えている、グリル用焼き網であって、前記支持脚は、前記網体部に固定され、かつ前記網体部とともに焼付き防止処理が施された上側脚
部と、この上側脚部から下向きに突出するようにして前記上側脚部に連結され、かつ前記焼付き防止処理が施されていない下側脚部と、に区分されていることを特徴としている。
【０００９】
このような構成によれば、次のような効果が得られる。
第１に、支持脚の下側脚部には、焼付き防止処理が施されていないため、このことにより製造コストの低減化を図ることが可能であるが、この下側脚部は、上側脚部に連結されているために、この下側脚部を網体部よりも十分に低い高さとし、魚などの被調理物が下側脚部に接触する可能性を低くすることが可能である。したがって、下側脚部に焼付きを生じ難くすることができる。一方、支持脚の上側脚部には、被調理物が接触する可能性が高いものの、この上側脚部については網体部とともに焼付き防止処理が施されているために、やはり不当な焼付きを生じないようにすることができる。本発明においては、支持脚に焼付き防止処理を施していない部分を設けることにより、製造コストを低減し得るにも拘わらず、前記特許文献１よりも、焼付きを生じ難くすることが可能である。
第２に、網体部としては、特許文献１とは異なり、支持脚との連結を図るための折り曲げ部を形成した特殊な構造としておく必要はない。本発明においては、従来の一般的な構造をもつ網体部を有効に利用することが可能である。このため、グリル用焼き網全体の製造コストをより低減することができる。
【００１０】
本発明において、好ましくは、前記下側脚部の全体は、前記網体部よりも低い高さに位置するように設けられている。
【００１１】
このような構成によれば、下側脚部に被調理物が不当に付着することがより徹底して防止されることとなり、焼付き防止を図る上で、一層好ましいものとなる。
【００１２】
本発明において、好ましくは、前記下側脚部は、前記上側脚部に対して取り外し可能に連結されており、前記上側脚部から前記下側脚部を取り外した場合には、そうでない場合と比較して、前記網体部の高さを低くするようにして前記上側脚部により前記網体部を支持可能とされている。
【００１３】
このような構成によれば、次のような効果が得られる。
すなわち、グリル用焼き網を使用する場合、被調理物の種類や、火力の大きさ、焼き加減などに応じて、網体部の高さを調整したい場合がある。これに対し、前記構成によれば、上側脚部に下側脚部を連結するか否かにより、使用時における網体部の高さを容易に変更することが可能である。したがって、前記した要望に的確に応えることができ、便利である。
【００１４】
本発明のその他の特徴および利点は、添付図面を参照して以下に行なう発明の実施の形態の説明から、より明らかになるであろう。
【図面の簡単な説明】
【００１５】
【図１】（ａ）は、本発明に係るグリル用焼き網の一例を示す斜視図であり、（ｂ）は、（ａ）のIb-Ib断面図である。
【図２】図１に示すグリル用焼き網の分解斜視図である。
【図３】（ａ），（ｂ）は、図１に示すグリル用焼き網の製造工程を示す斜視図である。
【図４】図１に示すグリル用焼き網の他の使用例を示す斜視図である。
【図５】（ａ），（ｂ）は、本発明の他の例を示す要部断面図である。
【図６】（ａ），（ｂ）は、本発明の他の例を示す要部断面図である。
【図７】（ａ）は、本発明の他の例を示す要部斜視図であり、（ｂ）は、（ａ）に示す構造の組立状態を示す要部正面断面図である。
【発明を実施するための形態】
【００１６】
以下、本発明の好ましい実施の形態について、図面を参照して具体的に説明する。
【００１７】
図１および図２に示すグリル用焼き網Ａは、グリル用受け皿９上に載置した状態で、ガスコンロなどのグリル庫内に入れて使用されるものであり、魚などの被調理物を載せるための網体部１、およびこの網体部１を支持する前後一対の支持脚２を備えている。網体部１は、従来の一般的なグリル用焼き網の網体部と同様な構成である。具体的には、この網体部１は、たとえばＪＩＳ：ＳＷＭ−Ｂなどの金属製線材を原材料として構成されており、平面視略矩形の枠体１０と、この枠体１０の内側領域に間隔を隔てて略平行に並ぶようにして枠体１０に両端部が溶接された複数の線状支持部１１とを有している。
【００１８】
支持脚２は、互いに別体で形成された上側脚部２０と下側脚部２１とに区分されている。これら上側脚部２０および下側脚部２１は、たとえばＪＩＳ：ＳＰＣＣなどの鋼板製である。上側脚部２０は、上部に屈曲部２０ａが設けられた側面視略Ｌ字のプレート状とされており、屈曲部２０ａを網体部１の枠体１０上に係止させるようにした状態で枠体１０に溶接され、かつこの溶接部分から下向きに突出している。図１（ｂ）では、２つの溶接部Ｗ１，Ｗ２が示されているが、溶接強度が確保できるのであれば、いずれか一方のみとし得ることは勿論である。下側脚部２１は、たとえば全体が略平板状であり、この下側脚部２１の上部側は上側脚部２０の下部寄り領域に重ね合わされた上で、ビスなどのネジ部材３を利用して上側脚部２０に取り付けられている。上側脚部２０には、ネジ部材３用の孔部２３ａが設けられ、かつ下側脚部２１には、ネジ孔２３ｂが設けられている。下側脚部２１の下部側領域は、上側脚部２０よりも下方に突出している。また、下側脚部２１の全体は、網体部１よりも低い高さに位置するように設定されている。
【００１９】
上側脚部２０には、網体部１とともに焼付き防止処理が施されている。これに対し、下側脚部２１には、焼付き防止処理は施されていない。焼付き防止処理は、たとえばフッ素樹脂の塗装処理であり、被調理物の剥離を促進する離型処理が該当する。メッキ処理、フッ素樹脂以外の樹脂を塗装する処理、あるいは樹脂シートによる被覆処理なども、本発明でいう焼付き防止処理に該当する。
【００２０】
前記したグリル用焼き網Ａは、図３（ａ），（ｂ）に示すような工程を経て製造される。
すなわち、グリル用焼き網Ａの製造に際しては、図３（ａ）に示すように、まず網体部１に一対の上側脚部２０を溶接する。この溶接が完了した後に、網体部１および各上側脚部２０に焼付き防止処理を一斉に施す。したがって、溶接部分にも焼付き防止処理が好適に施されることとなる。次いで、同図（ｂ）に示すように、複数のネジ部材３を利用し、一対の上側脚部２０のそれぞれに下側脚部２１を取り付ける。
【００２１】
次に、前記したグリル用焼き網Ａの作用について説明する。
【００２２】
まず、支持脚２の下側脚部２１には、焼付き防止処理が施されていないため、下側脚部２１にも焼付き防止処理を施す場合と比較すると、製造コストを低減することが可能である。下側脚部２１は、上側脚部２０とは異なり、全体が網体部１よりも低い高さにあるために、この下側脚部２１に魚などの被調理物が接触する可能性は低くなる。その結果、下側脚部２１に被調理物の焼付きが発生する虞は少ないものとなる。一方、上側脚部２０については、下側脚部２１とは異なり、被調理物が接触する可能性が高いものの、この上側脚部２０については網体部１とともに焼付き防止処理が施されているために、やはり不当な焼付きを生じないようにすることが可能である。
【００２３】
網体部１としては、特殊な構造に形成する必要はなく、従来の一般的な構造をもつ網体部と同様な構造である。このため、網体部１の製造コストを廉価とし、グリル用焼き網Ａ全体の製造コストをより低減することが可能である。
【００２４】
ネジ部材３を緩めることにより、下側脚部２１を上側脚部２０から取り外すことが可能である。このように支持脚２を取り外すと、図４に示すように、実質的には、一対の上側脚部２０のみによって網体部１を支持する構造となり、網体部１の高さを低くすることが可能である。換言すると、上側脚部２０に支持脚２を連結した状態とするか否かによって網体部１の高さ調整が可能である。グリル用焼き網Ａを使用する場合、被調理物の種類や、火力の大きさなどに応じて、網体部１の高さを調整したい場合があるが、本実施形態のグリル用焼き網Ａは、そのような要請にも適切に応え得るものとなる。
【００２５】
図５〜図７は、本発明の他の実施形態を示している。これらの図において、前記実施形態と同一または類似の要素には、前記実施形態と同一の符号を付している。
【００２６】
図５に示す実施形態においては、下側脚部２１の本体部２１ａに板バネ２１ｂが取り付けられている。本体部２１ａと板バネ２１ｂとの両者間に、上側脚部２０を差し込むことによって、板バネ２１ｂの弾発力を利用して、上側脚部２０と下側脚部２１とを容易に離脱しないように連結可能とされている。
図６に示す実施形態においては、下側脚部２１が、隙間２４を有するように接合された２枚の板材２１ｃを備えた構成とされており、隙間２４に上側脚部２０の下部を圧入させることによって、上側脚部２０と下側脚部２１とを容易に離脱しないように連結可能とされている。
図７に示す実施形態においては、上側脚部２０と下側脚部２１との一方に、係合用の突起２５が設けられ、かつ他方には、係合用の孔部２６が設けられている。突起２５は、先端部が基端部よりも大径とされている一方、孔部２６は、大径部２６ａと細幅部２６ｂとが連通した形態を有している。突起２５を大径部２６ａに挿入させてから細幅部２６ｂに進入させることにより、突起２５が孔部２６から抜け止めし、かつ大きなガタツキを生じないように設定することが可能であり、このことにより上側脚部２０と下側脚部２１とを適切に連結することが可能である。
【００２７】
前記した図５〜図７のいずれにおいても、上側脚部２０に対する下側脚部２１の着脱作業を、ドライバなどの工具を用いることなく容易かつ迅速に行なうことが可能である。図１ないし図４の先の実施形態においても、上側脚部２０に下側脚部２１を着脱させることによって網体部１の高さを変更することが可能であったが、図５〜図７に示す実施形態によれば、先の実施形態よりも、上側脚部２０に対する下側脚部２１の着脱が容易となり、一層便利である。
【００２８】
本発明は、上述した実施形態の内容に限定されない。本発明に係るグリル用焼き網の各部の具体的な構成は、本発明の意図する範囲内において種々に設計変更自在である。
【００２９】
上側脚部から下側脚部を取り外し可能なようにこれらを連結するための手段としては、上述した手段以外として、たとえばボルト・ナットを用いて上側脚部と下側脚部とを締結するといった手段を採用することが可能である。本発明においては、上側脚部に対して下側脚部を取り外し困難な状態に連結させてもよく、たとえばリベットを用いた締結手段、あるいは溶接などの手段を採用することもできる。
【００３０】
支持脚の上側脚部および下側脚部は、略Ｌ字状や平板状以外の種々の形状に形成することが可能である。支持脚をプレート状部材ではなく、線状の部材を用いて構成してもよい。網体部に対する上側脚部の固定手段としては、溶接以外の手段を採用することが可能で
ある。支持脚の具体的な数もとくに限定されるものではなく、たとえば網体部の四隅部分のそれぞれに支持脚（計４箇所の支持脚）を設けたような構成とすることもできる。網体部としては、従来の一般的なものと同様な構造とすることが可能であるが、やはりこれに限定されず、その具体的な形状や材質などは問わない。
【００３１】
本発明においては、網体部および上側脚部には、焼付き防止処理が施されているのに対し、下側脚部には前記焼付き防止処理が施されていない構成とされるが、これは、下側脚部には、網体部および上側脚部に施されている焼付き防止処理と同一の焼付き防止処理が施されていないことを意味しており、下側脚部には、焼付き防止に役立つ処理が一切施されていてはならないという意味ではない。たとえば、網体部および上側脚部には、焼付き防止性能に優れた焼付き防止処理が施されているのに対し、下側脚部には、網体部や上側脚部に施されている処理よりも焼付き防止性能が劣る処理（廉価なメッキなど）が施されているような場合であっても、焼付き防止処理に要するコストを低減することが可能であり、本発明の技術的範囲に包摂される。なお、本発明でいう焼付き防止処理の具体例については、上述した実施形態の説明中において記載したが、それら具体例以外の手段を採用することもできる。
【符号の説明】
【００３２】
Ａ  グリル用焼き網
１  網体部
２  支持脚
２０  上側脚部（支持脚の）
２１  下側脚部（支持脚の）
【図１】
2016083196.tif 000003
【図２】
2016083196.tif 000004
【図３】
2016083196.tif 000005
【図４】
2016083196.tif 000006
【図５】
2016083196.tif 000007
【図６】
2016083196.tif 000008
【図７】
2016083196.tif 000009